(57)【要約】【課題】  印刷に使用するマルチビーム数が印刷するイメージデータの階調数を決定する走査線数、つまり用紙送り方向の走査線数の約数になっていないことにより、前記印刷に使用するマルチビーム数と前記印刷するイメージデータの階調数を決定する走査線数、つまり用紙送り方向の走査線数との最小公倍数の走査線周期で発生するイメージ印刷の単位ドット間におけるつながりのばらつきを低減する。【解決手段】  印刷するイメージデータの階調数を決定する用紙送り方向の走査線数の約数である使用するマルチビーム数に合わせて印刷データをマルチビーム数に可変して分割できる印刷データ可変分割可能制御部を設け、該印刷データ可変分割可能制御部を介してマルチビームの書き込み光源を有した書き込み部に印刷データを送信し印刷する。【選択図】図１
2005343018.tif 000002
【特許請求の範囲】
【請求項１】
書き込み光にマルチビームを使用する電子写真装置において、印刷するイメージデータの階調数によって実際に使用するマルチビームの数を切替えることを特徴とする電子写真装置。
【請求項２】
印刷するイメージデータの階調数を決定する用紙送り方向の走査線数が５であり、走査方向のドット数が５である２５階調の場合は実際に使用するマルチビーム数を用紙送り方向の走査線数の約数に切替え、印刷するイメージデータの階調数を決定する用紙送り方向の走査線数が４であり走査方向のドット数が４である１６階調の場合は実際に使用するマルチビーム数を用紙送り方向の走査線数の約数に切替えることを特徴とする電子写真装置。
【発明の詳細な説明】
【技術分野】
【０００１】
本発明は、書き込み光にマルチビームを使用する電子写真装置に関するものである。
【背景技術】
【０００２】
書き込み光にマルチビームを使用する電子写真装置においては、印刷するイメージデータの階調数によって実際に使用するマルチビームの数を切替えることはなく常にマルチビームの数を固定して書き込みを行っていた。
【０００３】
【特許文献１】特開２０００−１５３６３５号公報
【発明の開示】
【発明が解決しようとする課題】
【０００４】
解決しようとする課題は、印刷に使用するマルチビーム数が印刷するイメージデータの階調数を決定する用紙送り方向の走査線数の約数になっていないことにより、前記印刷に使用するマルチビーム数と前記印刷するイメージデータの階調数を決定する用紙送り方向の走査線数との最小公倍数の走査線周期で発生するイメージ印刷の単位ドット間におけるつながりにばらつきがあることである。
【課題を解決するための手段】
【０００５】
上記課題は、印刷に使用するマルチビーム数が印刷するイメージデータの階調数を決定する用紙送り方向の走査線数の約数になるように、印刷するイメージデータの階調数を決定する用紙送り方向の走査線数に合わせて印刷に使用するマルチビーム数を可変して印刷することによって解決される。
【発明の効果】
【０００６】
本発明の電子写真装置は印刷に使用するマルチビーム数が印刷するイメージデータの階調数を決定する用紙送り方向の走査線数の約数になるように、印刷するイメージデータの階調数を決定する用紙送り方向の走査線数に合わせて印刷に使用するマルチビーム数可変して印刷するた、前記印刷に使用するマルチビーム数と前記印刷するイメージデータの階調数を決定する用紙送り方向の走査線数との最小公倍数の走査線周期で発生するイメージ印刷の単位ドット間におけるつながりのばらつきを防止できる利点がある。
【発明を実施するための最良の形態】
【０００７】
本発明は、印刷するイメージデータの階調数を決定する用紙送り方向の走査線数の約数である使用するマルチビーム数に合わせて印刷データをマルチビーム数に可変して分割できる印刷データ可変分割可能制御部を設け、該印刷データ可変分割可能制御部を介してマルチビームの書き込み光源を有した書き込み部に印刷データを送信し印刷する。
【０００８】
以下、本発明の１実施例を図面を用いて説明する。
【０００９】
図１は、本発明装置の１実施例の模式図であって、１は印刷データ可変分割可能制御部、２は書き込み部、３は印刷部である。
【００１０】
図１において、印刷データ可変分割可能制御部１では印刷するイメージデータの階調数を決定する走査線数、つまり用紙送り方向の走査線数：Ｎｖの約数である使用するマルチビーム数：Ｎｂに合わせて印刷データをＮｂの数に可変して分割し、書き込み部２に印刷データを送信し、書き込み部２で書き込みを行い印刷部３で印刷をする。
【００１１】
次に、本発明である印刷に使用するマルチビーム数：Ｎｂが印刷するイメージデータの階調数を決定する走査線数、つまり用紙送り方向の走査線数：Ｎｖの約数になるように、印刷するイメージデータの階調数を決定する走査線数、つまり用紙送り方向の走査線数：Ｎｖに合わせて印刷に使用するマルチビーム数：Ｎｂを可変することにおいて具体的例をあげて説明する
図２に、印刷に使用するマルチビーム数：Ｎｂが５で印刷するイメージデータの階調数を決定する走査線数つまり用紙送り方向の走査線数：Ｎｖが４である場合、つまりＮｂがＮｖの約数でない場合の印刷状態を示す。ここで印刷パターンはＮｖが４であるので縦×横が４×４の画素で基本ドットを構成して、この基本ドットが全onと全offとを交互に配置したチェッカーパターンを用いて説明する。
【００１２】
尚、実際の印刷像は画素と画素とが確実につながるようにするため理論上で割り付けられた画素の大きさよりも若干大きめに印刷するように設定しているので、図２においては、実際の印刷像を理論上の大きさの１．５倍程として説明する。また以下での説明を容易にするために印刷に使用しているビームの番号を図中の印刷パターンの左側に付記した。さらにビーム４で印刷しているパターンは他よりも太い線で記した。
【００１３】
５個のマルチビームは、本来ならば互いの相対位置間隔は均一であることが均一な印刷を実現する上で重要だが、図２においては、５個のマルチビームの内で４番目に印刷するビームつまりビーム４が縦方向つまり用紙走行方向において０．５画素分ビーム５側にずれている場合を示している。
【００１４】
この場合、ビーム１とビーム２、ビーム２とビーム３、ビーム５とビーム１との間隔は一定のままであるが、ビーム３とビーム４との間隔は０．５画素分広く、ビーム４とビーム５との間隔は０．５画素分狭くなる。このため縦×横が４×４の画素で基本ドットを構成し、この基本ドットが全onと全offを交互に配置したチェッカーパターンを印刷した場合、図２のａ部はビーム４とビーム５との間隔であり０．５画素分狭いのでドットのつながり部が多く見た目の印刷が濃くなり、図２のｂ部はビーム３とビーム４との間隔であり０．５画素分広いのでドットのつながり部が少なく見た目の印刷が薄くなる。
【００１５】
このようにして、５種類のビームとビームのつながりのうち３個は正常であるが、１個はつながりが多く、もう１個はつながりが少ないので、ドット５個の周期つまりはマルチビーム数Ｎｂとイメージデータの階調数を決定する走査線数、つまり用紙送り方向の走査線数：Ｎｖとの最小公倍数２０画素の周期で印刷むらが発生する。
【００１６】
図３に、印刷するイメージデータの階調数を決定する走査線数、つまり用紙送り方向の走査線数：Ｎｖが４である時に印刷に使用するマルチビーム数：Ｎｂを５から４に切替えた場合、つまりＮｂがＮｖの約数になるようにビーム数を切替えた場合の印刷状態を示す。ここで印刷パターンはＮｖが４であるので縦×横が４×４の画素で基本ドットを構成し、この基本ドットが全onと全offとを交互に配置したチェッカーパターンを用いて説明する。
【００１７】
図３においても、図２と同じように５個のマルチビームの内で４番目に印刷するビーム、つまりビーム４が縦方向つまり用紙走行方向において０．５画素分ビーム５側にずれている場合を示している。
【００１８】
縦×横が４×４の画素で基本ドットを構成して、この基本ドットが全onと全offを交互に配置したチェッカーパターンを印刷した場合、図３のｃ１部はビーム４とビーム１との間隔であり０．５画素分狭いので、ドットのつながり部が多く見た目の印刷が濃くなる。同様に、図３のｃ２部もビーム４とビーム１との間隔であり０．５画素分狭いので、ドットのつながり部が多く見た目の印刷はｃ１部と同様に濃くなる。このように全てのドットのつながり部が同じように多くなり、見た目の印刷が濃くなるので図２で説明したような周期的な印刷むらが発生しない。
【００１９】
尚、印刷に使用するマルチビーム数：Ｎｂを５から４に切替えた時には用紙送り方向の速度を５分の４倍に変更したり、またはビーム走査するポリゴンミラーの回転数を４分の５倍変更して一画素の印刷時間を５分の４倍に変更することでビーム５で印刷していた部分を次のビーム１に切替え更に同様に印刷するビームを順次繰り上げて印刷することで対応ができる。
【産業上の利用可能性】
【００２０】
イメージデータを印刷する用途のみならず、規則的な周期性を有したハーフトーンのような幾何学模様を印刷する場合にも周期的に生ずる幾何学模様のむらを低減して印刷することにも適用できる。
【図面の簡単な説明】
【００２１】
【図１】印刷データ可変分割可能制御部を有した本発明電子写真装置の実施方法を示した説明図である。
【図２】本発明の実施例における、使用するマルチビーム数：Ｎｂで印刷するイメージデータの階調数を決定する用紙送り方向の走査線数：Ｎｖの約数でない場合の印刷状態を示す説明図。
【図３】本発明の実施例における、使用するマルチビーム数：Ｎｂが印刷するイメージデータの階調数を決定する走査線数、つまり用紙送り方向の走査線数：Ｎｖの約数になるようにビーム数を切替えた場合の印刷状態を示す説明図。
【符号の説明】
【００２２】
１…印刷データ可変分割可能制御部、２…書き込み部、３…印刷部、ａ…５個のマルチビームで４画素×４画素で構成された基本ドットのチェッカーパターンを印刷した時のビーム４とビーム５とのつながり部、ｂ…５個のマルチビームで４画素×４画素で構成された基本ドットのチェッカーパターンを印刷した時のビーム３とビーム４とのつながり部、ｃ１…４個のマルチビームで４画素×４画素で構成された基本ドットのチェッカーパターンを印刷した時のビーム４とビーム１とのつながり部、ｃ２…４個のマルチビームで４画素×４画素で構成された基本ドットのチェッカーパターンを印刷した時のビーム４とビーム１とのつながり部である。
【図１】
2005343018.tif 000003
【図２】
2005343018.tif 000004
【図３】
2005343018.tif 000005